(57)【要約】【課題】画像入力部を閉じるのに連動して、内側カバーをより確実に閉じることができるようにすること。【解決手段】画像入力部５０の自由端側部分であって内側カバー４０に対向する位置に、画像入力部５０が閉じられる途中で内側カバー４０の外面に当接して内側カバー４０を閉じるように押込む押えバネ部材７０が設けられている。画像入力部５０を閉じると、押えバネ部材７０が内側カバー４０を押えて、内側カバー４０は完全に閉じられる。【選択図】図２
2008032805.tif 000002
【特許請求の範囲】
【請求項１】
記録紙に対する記録を行う画像形成部を内蔵すると共に、前記画像形成部を開閉自在に覆うように内側カバーが取付けられた本体部と、
原稿からの画像データを読取り可能に構成され、前記内側カバーを覆うように前記本体部に対して開閉自在に取付けられた画像入力部と、
を備え、
前記画像入力部の自由端側部分であって前記内側カバーに対向する位置に、前記画像入力部が閉じられる途中で前記内側カバーの外面に当接して前記内側カバーを閉じるように押込む押えバネ部材が設けられたことを特徴とする画像形成装置。
【請求項２】
請求項１記載の画像形成装置であって、
前記内側カバーの自由端側部分に、その内側カバーを閉じた状態で維持するロック部が２つ設けられ、
前記押えバネ部材は前記２つのロック部の略中央部分で前記内側カバーを押え込む位置に設けられていることを特徴とする画像形成装置。
【請求項３】
請求項１又は請求項２記載の画像形成装置であって、
前記画像形成部は感光体を有しており、
前記内側カバーの内面には前記感光体を露光する露光部が設けられていることを特徴とする画像形成装置。
【請求項４】
請求項１〜請求項３のいずれかに記載の画像形成装置であって、
前記画像入力部に被検出子が設けられると共に、
前記本体部に前記画像入力部が閉じた状態で前記被検出子を検出する検出部が設けられ、
前記押えバネ部材は、前記画像入力部が完全に閉じられない状態で、前記検出部が前記被検出子を検出しない程度に、前記内側カバーと前記画像入力部とを離間させることを特徴とする画像形成装置。
【発明の詳細な説明】
【技術分野】
【０００１】
この発明は、複数の開閉部分を備えた画像形成装置に関する。
【背景技術】
【０００２】
従来より、記録部を内蔵した本体フレームの上部に、読取り部フレームを開閉自在に取付けた原稿読取り記録装置が知られている（例えば、特許文献１参照）。
【０００３】
【特許文献１】特開２００１−３５０３９１号公報
【発明の開示】
【発明が解決しようとする課題】
【０００４】
このような原稿読取り記録装置では、本体フレームに内蔵される記録装置部分を覆うため、本体フレームに開閉自在な内側カバーを設けた構成が提案されている。
【０００５】
かかる原稿読取り装置では、読取り部フレームを閉じるのに連動して内側カバーが閉じられる構成とすることが好ましい。
【０００６】
特に、内側カバーに記録装置の部品等を組付けたような場合には、その部品の存在により内側カバーが閉り難くなる。そして、内側カバーが半ロック状態や片側ロック状態等の不完全な状態であると、途中でロックが解除されてしまったり、動作不安定を引き起す等の不具合を生じてしまうので大きな問題となっていた。
【０００７】
そこで、本発明は、画像入力部を閉じるのに連動して、内側カバーをより確実に閉じることができるようにすることを目的とする。
【課題を解決するための手段】
【０００８】
上記課題を解決するため、この発明は、記録紙に対する記録を行う画像形成部を内蔵すると共に、前記画像形成部を開閉自在に覆うように内側カバーが取付けられた本体部と、原稿からの画像データを読取り可能に構成され、前記内側カバーを覆うように前記本体部に対して開閉自在に取付けられた画像入力部と、を備え、前記画像入力部の自由端側部分であって前記内側カバーに対向する位置に、前記画像入力部が閉じられる途中で前記内側カバーの外面に当接して前記内側カバーを閉じるように押込む押えバネ部材が設けられたことを特徴とするものである。
【０００９】
この場合に、前記内側カバーの自由端側部分に、その内側カバーを閉じた状態で維持するロック部が２つ設けられ、前記押えバネ部材は前記２つのロック部の略中央部分で前記内側カバーを押え込む位置に設けられていてもよい。
【００１０】
また、前記画像形成部は感光体を有しており、前記内側カバーの内面には前記感光体を露光する露光部が設けられていてもよい。
【００１１】
さらに、前記画像入力部に被検出子が設けられると共に、前記本体部に前記画像入力部が閉じた状態で前記被検出子を検出する検出部が設けられ、前記押えバネ部材は、前記画像入力部が完全に閉じられない状態で、前記検出部が前記被検出子を検出しない程度に、前記内側カバーと前記画像入力部とを離間させるようにしてもよい。
【発明の効果】
【００１２】
この発明の画像形成装置によると、前記画像入力部の自由端側部分であって前記内側カバーに対向する位置に、前記画像入力部が閉じられる途中で前記内側カバーの外面に当接して前記内側カバーを閉じるように押込む押えバネ部材が設けられているため、画像入力部を閉じると、押えバネ部材が内側カバーを押えて閉じることになる。このため、画像入力部を閉じるのに連動して、内側カバーをより確実に閉じることができる。
【００１３】
また、前記押えバネ部材は前記２つのロック部の略中央部分で前記内側カバーを押え込むようにすると、２つのロック部をより確実にロックさせることができる。
【００１４】
また、前記内側カバーの内面に露光部が設けられた構成においては、特に、内側カバーを確実にしっかりと閉める要請が強い。このような内側カバーをより確実に閉じることができるという点で、本発明のメリットは大である。
【００１５】
さらに、前記押えバネ部材は、前記画像入力部が完全に閉じられない状態で、前記検出部が前記被検出子を検出しない程度に、前記内側カバーと前記画像入力部とを離間させるようにすると、押えバネ部材がかかる機能をも併有することになるため、比較的簡易な構成で、前記画像入力部の開閉状態をより確実に検出できる。
【発明を実施するための最良の形態】
【００１６】
以下、実施形態に係る画像形成装置について説明する。本実施形態では、画像形成装置を、デジタル複合機に適用した例で説明する。
【００１７】
＜１．デジタル複合機の全体構成＞
まず、このデジタル複合機の全体構成について説明する。図１は実施形態に係るデジタル複合機の全体構成を示す斜視図であり、図２は同デジタル複合機において画像入力部を開放した状態を示す斜視図であり、図３は同デジタル複合機において画像入力部及び内側カバーを開放した状態を示す背面図である。なお、各図には、説明の便宜上、上下方向、前後方向、および左右方向を示す座標軸を付している。
【００１８】
このデジタル複合機１０は、機能的には、大別して原稿読取部分と画像形成部分とを備えている。そして、これら各機能部分を適宜制御下で利用することにより、ＦＡＸ機能、コピー機能、スキャン機能、プリント機能などの諸機能を実現する構成となっている。
【００１９】
より具体的には、このデジタル複合機１０は、本体部２０の上方に、画像入力部５０が配設された構成とされている。
【００２０】
本体部２０は、上方が開口する略筺状の本体フレーム部２２内に、画像形成部３０を内蔵すると共に、この画像形成部３０を開閉自在に覆うように内側カバー４０が取付けられた構成となっている。
【００２１】
画像形成部３０は、記録紙に対する記録を行うものであり、本体フレーム部２２内のユニット室２３ａ内に設けられている。ここでは、画像形成部３０は、電子写真方式によって静電潜像に基づいたトナー画像を記録紙に記録するものであり、露光部３２と、感光ドラム３４とを備えている。
【００２２】
感光ドラム３４は、画像形成部３０内に設置された感光体である（図３参照）。この感光ドラム３４の外周面には光導電膜が設けられており、この光導電膜に静電潜像が形成される。
【００２３】
露光部３２は、帯電させられた感光ドラム３４の表面に光を照射して露光することにより、感光ドラム３４上に静電潜像を形成する。この露光部３２は、内側カバー４０の内面に設けられている（図３参照）。
【００２４】
そして、本画像形成部３０は、画像入力部５０によって読み取られた画像データ等に基づいて、上記露光部３２の作用により感光ドラム３４の表面に静電潜像を形成し、この静電潜像をトナーによって可視化するとともに、この可視化されたトナー画像を記録紙に転写するようになっている。
【００２５】
内側カバー４０は、本体フレーム部２２の上部に、画像形成部３０（ここでは感光ドラム３４）を開閉自在に覆うように設けられている。ここでは、内側カバー４０は、上記ユニット室２３ａの上方開口を覆う略方形板状に形成されており、本体フレーム部２２に対してヒンジ４８を介して回転軸４８ａを中心に回転自在に連結されている。そして、回転軸４８ａを中心にして内側カバー４０の自由端側縁部（回転軸４８ａと対向する側の縁部）を引き起すように内側カバー４０を回動させると、内側カバー４０は開いた状態となり、画像形成部３０を構成する感光ドラム３４及び露光部３２は外部に開放された状態となる。一方、回転軸４８ａを中心にして内側カバー４０の自由端側部分を本体フレーム部２２内に押え付けるように内側カバー４０を回動させると（矢符Ｒ１参照）、内側カバー４０は閉じた状態となり、画像形成部３０を構成する感光ドラム３４及び露光部３２は本体フレーム部２２及び内側カバー４０内に封じ込められた状態となる。
【００２６】
また、この内側カバー４０の自由端側縁部にはその縁部に沿って所定距離離れた位置に２つのロック部４２が設けられている。この２つのロック部４２は、ロック爪と、ねじりコイルバネ等の弾性手段等により構成されており、内側カバー４０の自由端側縁部を押え込むようにして内側カバー４０を閉じると、各ロック部４２が本体フレーム部２２側に設けられた２つの被ロック部にそれぞれ係脱自在に係合するようになっている。そして、図示省略の解除レバーを操作することで、各ロック部４２の係合が解除され、内側カバー４０を開くことができるようになっている。
【００２７】
また、この内側カバー４０は、図示省略の弾性手段（例えば、ねじりコイルバネ等）により、開方向に常時付勢された状態となっている。そして、ロック部４２が係合していない状態では、この弾性手段の付勢力により開いた状態に維持されるようになっている。
【００２８】
また、この内側カバー４０の内面には露光部３２が設けられている。ここでは、内側カバー４０の回転軸４８ａ側の端縁部と自由端側縁部との中間部であって、内側カバー４０を閉じた状態で感光ドラム３４と対向する位置に露光部３２が設けられている。そして、内側カバー４０をしっかりと閉じた状態で、露光部３２が感光ドラム３４に対して所定距離をあけた状態で対向し、露光部３２が感光ドラム３４の表面に光を照射して露光可能になっている。
【００２９】
また、本体部２０の本体フレーム部２２には、給紙部２４及び制御部２８が設けられている。
【００３０】
給紙部２４は、ユニット室２３ａの下方に配設されており、画像形成部３０に対して記録紙を供給する。ここで、給紙部２４は、１つまたは複数の給紙カセットを有しており、給紙部２４から画像形成部３０に対してカセットの数に応じた種類の記録紙が供給される。
【００３１】
制御部２８は、本体部２０内奥側（後側）のユニット室２３ｂに設けられている。制御部２８は、複数の信号線（図示省略）によって、原稿搬送部６２、画像入力部５０、画像形成部３０、給紙部２８、および操作パネル５７等と電気的に接続されている。そして、制御部２８は、これらの各要素を所定のタイミングで所定の制御を行うことで、本デジタル複合機としての諸機能を実現する。
【００３２】
画像入力部５０は、原稿からの画像データを読取り可能に構成されている。ここでは、画像入力部５０は、フラットベッド方式またはＡＤＦ（Auto Document Feeder）方式により、原稿からの画像データを読み取る。また、この画像入力部５０は、上記内側カバー４０を覆うように本体部２０に対して開閉自在に取付けられている。
【００３３】
より具体的には、画像入力部５０は、本体部２０の上方に設けられた画像入力本体部５２の上方に、原稿押え部６０が設けられた構成とされている。
【００３４】
画像入力本体部５２は、平面視において本体部２０の本体フレーム部２２に対応する形状及び大きさを有しており、本体部２０の本体フレーム部２２に対してヒンジ５８を介して回転軸５８ａを中心に回転自在に連結されている。なお、この回転軸５８ａは、上記内側カバー４０の回転軸４８ａと略平行である。そして、回転軸５８ａを中心にして画像入力本体部５２の自由端側縁部（回転軸５８ａと対向する側の縁部）を引き起すようにして画像入力本体部５２を回動させると、本体部２０の上方が外部に露出し、内側カバー４０が開放可能な状態となる。また、回転軸５８ａを中心にして画像入力本体部５２の自由端側部分を本体部２０に押付けるように画像入力本体部５２を回転させると（矢符Ｒ２参照）、本体部２０の上方及び内側カバー４０の上方が画像入力本体部５２で覆われた状態になる。
【００３５】
なお、この画像入力部５０の自由端部下面側にはロック部５９（ここでは２つのロック部）が設けられており、このロック部５９が本体部２０側の対応する被ロック部に係合することで、画像入力部５０が閉じた状態で維持されるようになっている。
【００３６】
また、この画像入力本体部５２は、蓋部５２ａと筐体５２ｂとを有しており、これらの蓋部５２ａ及び筐体５２ｂ内に、後述する画像を読取るための各種要素を収容するための内部空間が形成されている。
【００３７】
蓋部５２ａの上部には略水平姿勢で板状の原稿ガラス５３，５４が設けられている。原稿ガラス５３は、コンタクトガラスとも呼ばれる部材であり、後述する原稿搬送部６２によって搬送される原稿を読取るための光を透過させる。また、原稿ガラス５４は、プラテンガラスとも呼ばれる部材であり、その上に載置された原稿を読取るための光を透過させる。
【００３８】
また、筐体５２ｂは、樹脂や金属部材等の組合わせにより構成された、底面を有する枠状の部材であり、本筐体５２ｂと蓋部５２ａとで囲まれる収容空間内に、主として、キャリッジ５５ａ，５５ｂと、受光部５６とが設けられている。
【００３９】
両キャリッジ５５ａ，５５ｂは、原稿からの光を反射させるミラー（図示省略）を有しており、一方（受光部５６側）のキャリッジ５５ａには、原稿を照明する光源（図示省略）が設けられている。
【００４０】
これらキャリッジ５５ａ，５５ｂは、原稿ガラス５３，５４の下方を所定の移動方向（ここでは左右方向）に沿って往復移動自在とされている。そして、原稿で反射され、一方のキャリッジ５５ａからキャリッジ５５ｂを経由して受光部５６に到達する反射光の光路長が、原稿上の反射位置に拘らず略同一となるように、各キャリッジ５５ａ，５５ｂの位置が制御される。
【００４１】
受光部５６は、筐体５２ｂ内に固定されており、原稿からの反射光５６Ｌを、光学部材を介して内部のＣＣＤ（ラインセンサ）上に結像させる。これにより、原稿からの反射光を光電変換によって電気信号に変換するようになっている。
【００４２】
上記キャリッジ５５ａ，５５ｂは、ＡＤＦ方式にて原稿読取りを行う場合には、原稿ガラス５３の下方位置に移動する。そして、搬送される原稿を原稿ガラス５３の下方で連続的に読取ることで原稿からの画像データを読取る。
【００４３】
また、フラットベッド方式にて画像読取りを行う場合には、原稿ガラス５４の下方をキャリッジ５５ａ，５５ｂが適宜移動することで、原稿ガラス５４上に載置された原稿を連続的に読取って原稿からの画像データを読取る。
【００４４】
原稿押え部６０は、画像入力本体部５２の上方に設けられており、主として、原稿搬送部６２と、押え部材６４とを備えている。
【００４５】
押え部材６４は、画像入力本体部５２の上部の一端側部分（ここでは後側部分）に、ヒンジ６６を介して開閉自在に連結されている。そして、押え部材６４を開いた状態で、原稿ガラス５４上に原稿を載置し又は除去でき、押え部材６４を閉じた状態で、原稿ガラス５４上の原稿を該原稿ガラス５４と押え部材６４とで挟込むようにして定位置で保持するようになっている。
【００４６】
また、原稿搬送部６２は、押え部材６４の一側上部（ここでは左側上部）であって、原稿ガラス５３の直上に配設される位置に設けられている。原稿搬送部６２は、トレイに載置された原稿を順次原稿ガラス５３に摺接するように搬送するように構成されており、原稿ガラス５３に摺接するように搬送された原稿が順次キャリッジ５５ａ，５５ｂを通じて画像データとして読取られるようになる。
【００４７】
また、画像入力本体部５２の一側部（ここでは前側部）には、操作パネル５７が設けられている。操作パネル５７は、本デジタル複合機１０とその使用者とのインタフェースと使用されるものであり、主として、表示部５７ａと、操作部５７ｂとを備えている。
【００４８】
表示部５７ａは、液晶ディスプレイ等によって構成されており、指や専用のペンで画面に触れることにより、画面上の位置を指定することができる「タッチパネル」としての機能をも有している。したがって、使用者は、表示部５７ａに表示された内容に基づき、表示部５７ａの「タッチパネル」機能を使用した指示を行うことにより、デジタル複合機１０に対して所定の動作を実行させることができる。このように、表示部５７ａは、デジタル複合機１０にデータ入力を可能とする入力部としても使用される。
【００４９】
操作部５７ｂは、複数の操作キー５７ＳＷを有する入力部である。使用者は、表示部５７ａの表示内容等に応じて操作キー５７ＳＷに対する入力作業を行うことにより、デジタル複合機に対して所定の動作を実行させることができる。
【００５０】
＜２．内側カバー及び画像入力部の開閉に係る構成＞
内側カバー及び画像入力部の開閉に係る構成について詳述する。図４は内側カバーに押えバネ部材が取付けられた部分を示す要部分解斜視図である。
【００５１】
図２〜図４に示すように、画像入力部５０の自由端側部分であって内側カバー４０に対向する位置に、押えバネ部材７０が設けられている。この押えバネ部材７０は、画像入力部５０が閉じられる途中で内側カバー４０の外面に当接してその内側カバーを閉じるように押込むようになっている。
【００５２】
より具体的には、画像入力部５０の下面側部分のうち自由端側縁部に、その縁部に沿って凹む凹溝部５０ｇが形成されている。そして、その凹溝部５０ｇの略中央部、より具体的には、上記二つのロック部４２の略中央部分で内側カバー４０を押え込む位置に押えバネ部材７０が取付けられている。
【００５３】
ここでは、次の構成によって押えバネ部材７０が取付けられている。すなわち、凹溝部５０ｇの略中央部に略十字状の突起部５０ａが形成されている（図４参照）。押えバネ部材７０は、コイルバネであり、略十字状の突起部５０ａを圧入可能な程度の内径寸法を有している。そして、略十字状の突起部５０ａを押えバネ部材７０の一端部内に押込むようにすることで、押えバネ部材７０が画像入力部５０の自由端側縁部に取付けられている。
【００５４】
そして、画像入力部５０を閉じる途中で、押えバネ部材７０が内側カバー４０の上面であって自由端側縁部の略中央部を押え付けるようにして、該内側カバー４０を閉じるようになっている。
【００５５】
図５は被検出子及び開閉検出部を示す要部拡大図である。図２、図３及び図５に示すように、上記本体部２０及び画像入力部５０には、画像入力部５０の開閉状態を検出する開閉手段として、被検出子７４及び開閉検出部７６が設けられている。
【００５６】
被検出子７４は、略長方形板状の部材であり、画像入力本体部５２の下部であってその自由端側縁部よりの位置でかつ画像形成部３０の側方位置（ここでは後側位置）に突出するように設けられている。
【００５７】
開閉検出部７６は、本体フレーム部２２の上部であって上記被検出子７４に対応する位置に設けられており、本体部２０が完全に閉じられた状態で上記被検出子７４を検出することで、該本体部２０が閉じられた状態であるか否かを検出するようになっている。より具体的には、開閉検出部７６は、スイッチ部７６ａを有する本体部７６ｂと、本体部７６ｂからスイッチ部７６ａの上方を通過して側方に延出するレバー片７６ｃとを有するマイクロスイッチである。この開閉検出部７６は、本体部２０が完全に閉じられた状態で上記被検出子７４がレバー片７６ｃの先端部を下方に押下げることでスイッチ部７６ａを押圧可能な位置及び姿勢で本体フレーム部２２に固定されている。
【００５８】
そして、本体部２０が開かれた状態ではスイッチ部７６ａはオフ状態になっている。一方、本体部２０が完全に閉じられた状態では被検出子７４がレバー片７６ｃを押圧することでスイッチ部７６ａをオン状態にし、これに応じたオンオフ信号が制御部２８に与えられる。このオンオフ信号に基づいて、制御部２８はデジタル複合機１０の諸動作制御を行うようになっている。
【００５９】
なお、上記押えバネ部材７０の長さ寸法及び弾性力は、内側カバー４０が閉じた状態で、かつ、押えバネ部材７０の下端部が内側カバー４０に接触した状態で、上記開閉検出部７６が被検出子７４を検出しない程度に、内側カバー４０と画像入力部５０とを離間させる程度に設定されている。そのような内側カバー４０と画像入力部５０との離間間隔は、例えば、被検出子７４が開閉検出部７６のレバー片７６ｃに接触しない程度の間隔である。
【００６０】
これにより、本体部２０が閉じられていない状態で、開閉検出部７６が被検出子７４を誤検知することが防止され、本体部２０の開閉状態をより確実に検出することができる。
【００６１】
なお、開閉検出部７６としては、上記のようにマイクロスイッチを用いた構成の他、光センサやマグネットセンサ等を用いた構成等であってもよい。
【００６２】
＜３．内側カバー及び画像入力部を閉じる動作＞
図６は内側カバー及び画像入力部を閉じる動作を説明するための背面図である。このデジタル複合機１０では、画像入力部５０を閉じることにより、内側カバー４０をより完全に閉じることができるようになっている。
【００６３】
すなわち、図３では、画像入力部５０が開かれると共に、内側カバー４０が開かれた状態となっている。
【００６４】
この状態で、画像入力部５０の自由端部側を押下げるようにして画像入力部５０を閉じようとする場合、初期段階では、内側カバー４０の自由端部が画像入力部５０の下面に当接して該内側カバー４０が途中まで閉じられる。
【００６５】
そして、画像入力部５０を閉じようとする最終段階で、図６に示すように、押えバネ部材７０の下端部が内側カバー４０の自由端部上面に当接する。さらに、画像入力部５０の自由端部を押下げるようにすると、画像入力部５０は押えバネ部材７０を介して内側カバー４０の自由端部を下方に押下げようとする。これにより、内側カバー４０の各ロック部４２が対応する被ロック部に係合し、内側カバーが閉じた状態に維持される。
【００６６】
この際、２つのロック部４２の略中央に対応する位置で押えバネ部材７０は内側カバー４０を下方に押下げるので、２つのロック部４２に対して略均等な押下げ力が作用する。このため、２つのロック部４２がほぼ同タイミングでより確実に相手側の被ロック部に係合するようになる。
【００６７】
この後、押えバネ部材７０をさらに圧縮させるようにして画像入力部５０の自由端部をさらに下方に押下げると、各ロック部５９が対応する被ロック部に係合して画像入力部５０が閉じた状態で維持されるようになっている。
【００６８】
この状態では、押えバネ部材７０は、凹溝部５０ｇ内で画像入力部５０と内側カバー４０との間で圧縮された状態となる。
【００６９】
また、上記の画像入力部５０を閉じる作業が不完全である場合には次のようになる。すなわち、この場合には、ロック部４２が係合した後で、かつ、ロック部５９が係合する前のタイミングで、画像入力部５０に加える力を解除した状態となる。すると、図５に示すように、完全に閉じられた内側カバー４０の自由端部の上面と画像入力部５０の自由端部の下面との間に押えバネ部材７０を介在させた状態となり、画像入力部５０の自由端部は内側カバー４０の自由端部から押えバネ部材７０の長さ寸法分（但し、画像入力部５０の重さによる分圧縮された長さ寸法分）だけ持上げられた状態で保持される。これにより、被検出子７４は開閉検出部７６から上方に離れた位置に配設され、開閉検出部７６による被検出子７４の検出がなされない状態で保持される。
【００７０】
なお、押えバネ部材７０は、画像入力部５０を閉じようとして各ロック部５９が係合するまでのタイミングで各ロック部４２を被ロック部に係合させることができ、かつ、上記の画像入力部５０を完全に閉じるまでの状態では該画像入力部５０を上方に持上げた状態で保持可能な弾性力及び長さ寸法を有するような特性に設定されている。
【００７１】
このように構成されたデジタル複合機１０によると、画像入力部５０の自由端側部分であって内側カバー４０に対向する位置に、画像入力部５０が閉じられる途中で内側カバー４０の外面に当接して内側カバー４０を閉じるように押込む押えバネ部材７０が設けられているため、画像入力部５０を閉じると、押えバネ部材７０が内側カバー４０を押えて閉じることになる。このため、画像入力部５０を閉じるのに連動して、内側カバー４０をより確実に閉じることができる。
【００７２】
しかも、画像入力部５０や内側カバー４０にそれらの間隔寸法等に関して多少の誤差があっても、その誤差を押えバネ部材７０により吸収して内側カバー４０をより確実に閉じることができるという利点もある。
【００７３】
ここで、仮に、画像入力部５０の下面にスポンジ材等を取付けて、画像入力部５０が該スポンジ材を介して内側カバー４０を押え込む構成を想定する。この場合には、スポンジ材はへたり易いという問題がある。ところが、本実施形態では、押えバネ部材７０を介して内側カバー４０を押えているため、そのようなへたりの問題が生じ難く、一定の弾性強度でもってより確実に内側カバー４０を閉じることができるという利点がある。
【００７４】
また、押えバネ部材７０を用いた構成では、その大きさや形状等を適宜変更することで、画像入力部５０の重さや画像入力部５０と内側カバー４０間の間隔寸法等に応じた荷重設定や変更等に容易に対処できるという利点もある。
【００７５】
また、押えバネ部材７０は２つのロック部４２の略中央部分で内側カバー４０を押え込むため、２つのロック部４２をより確実にロックさせることができる。
【００７６】
また、内側カバー４０の内面に露光部３２が設けられた構成においては、内側カバー４０が確実に閉められていないと露光をしっかりと行うことができないので、内側カバー４０を確実にしっかりと閉めるようにという要請が強い。そこで、このような内側カバー４０をより確実に閉じることができるようにすることで、より確実に露光及び画像形成処理を行うことができ、メリットが大きい。
【００７７】
しかも、押えバネ部材７０は、画像入力部５０が完全に閉じられない状態で、開閉検出部７６が被検出子７４を検出しない程度に、内側カバー４０と画像入力部５０とを離間させるようにしている。これにより、画像入力部５０の開閉状態をより確実に検出できる。しかも、押えバネ部材７０は、上記のように内側カバー４０を押えて閉めるようにする機能と、画像入力部５０の開閉状態をより確実に検出できるようにする機能とを併有しているので、比較的簡易な構成で両機能を実現できる。
【００７８】
＜４．変形例＞
以上、本発明の実施の形態について説明してきたが、本発明は上記実施の形態に限定されるものではなく様々な変形が可能である。
【００７９】
例えば、押えバネ部材７０としては、コイルバネの他、板バネやジグザグバネ等を用いてもよい。また、このような押えバネ部材７０が複数設けられた構成であってもよい。
【００８０】
また、画像入力部５０の回転軸５８ａと内側カバー４０の回転軸４８ａとは必ずも略平行である必要はないし、また、それらは同方向に開く構成である必要はない。要するに、画像入力部５０を閉じる途中で、画像入力部５０が押えバネ部材７０を介して内側カバー４０を押え込んで閉じることができる位置関係であればよい。
【００８１】
また、本実施形態では、画像形成装置を、ＦＡＸ機能、コピー機能、スキャン機能、プリント機能などの諸機能を有するデジタル複合機に適用した例で説明したが、必ずしもこれに制限されない。つまり、本発明は、画像入力部５０を内蔵した本体部２０と、その本体部に対して開閉自在に取付けられた画像入力部５０とを備えた諸画像形成装置に適用し得る。
【図面の簡単な説明】
【００８２】
【図１】実施形態に係るデジタル複合機の全体構成を示す斜視図である。
【図２】同デジタル複合機において画像入力部を開放した状態を示す斜視図である。
【図３】同デジタル複合機において画像入力部及び内側カバーを開放した状態を示す背面図である。
【図４】内側カバーに押えバネ部材が取付けられた部分を示す要部分解斜視図である。
【図５】被検出子及び開閉検出部を示す要部拡大図である。
【図６】内側カバー及び画像入力部を閉じる動作を説明するための背面図である。
【符号の説明】
【００８３】
１０  デジタル複合機
２０  本体部
３０  画像形成部
３２  露光部
３４  感光ドラム
４０  内側カバー
４２  ロック部
５０  画像入力部
７０  押えバネ部材
７４  被検出子
７６  開閉検出部
【図１】
2008032805.tif 000003
【図２】
2008032805.tif 000004
【図３】
2008032805.tif 000005
【図４】
2008032805.tif 000006
【図５】
2008032805.tif 000007
【図６】
2008032805.tif 000008